【手続補正書】
【提出日】平成19年5月24日(2007.5.24)
【手続補正１】
【補正対象書類名】特許請求の範囲
【補正対象項目名】全文
【補正方法】変更
【補正の内容】
【特許請求の範囲】
【請求項１】
表示装置を備える情報処理装置であって、
外部表示装置と接続するためのインタフェース手段と、
前記インタフェース手段を介して前記外部表示装置が接続されていることを検出する検出手段と、
前記検出手段により前記外部表示装置が接続されていることを検出した場合、前記表示装置に表示される画面情報を前記外部表示装置にも前記インタフェース手段を介して転送可能な状態にする第１の制御手段と、
前記表示装置に表示される画面情報を前記外部表示装置にも前記インタフェース手段を介して転送可能な状態にした後、前記外部表示装置における所定の情報の非表示の設定に従って、前記表示装置に表示される画面情報と前記外部表示装置に表示すべき画面情報との表示内容を変更する第２の制御手段と、
を備えることを特徴とする情報処理装置。
【請求項２】
表示装置を備える情報処理装置であって、
外部表示装置と接続するためのインタフェース手段と、
前記インタフェース手段を介して前記外部表示装置が接続されていることを検出する検出手段と、
前記検出手段により前記外部表示装置が接続されていることを検出した場合、前記表示装置に表示される画面情報を前記外部表示装置にも前記インタフェース手段を介して転送可能な状態にする第１の制御手段と、
前記表示装置に表示される画面情報を前記外部表示装置にも前記インタフェース手段を介して転送可能な状態にした後、所定の情報が前記表示装置に表示されようとするのに従って、前記表示装置に表示される画面情報と前記外部表示装置に表示すべき画面情報との表示内容を変更する第２の制御手段と、
を備えることを特徴とする情報処理装置。
【請求項３】
前記外部表示装置における前記所定の情報の表示及び非表示の切り替えを指示する切替指示手段を備え、
前記第２の制御手段は、前記切替指示手段により非表示へ切り替えられている間、前記表示装置に表示される画面情報と前記外部表示装置に表示すべき画面情報との表示内容を変更することを特徴とする請求項１或いは２記載の情報処理装置。
【請求項４】
前記第２の制御手段は、前記所定の情報の入力を催促する画面の表示時に、前記表示装置に表示される画面情報と前記外部表示装置に表示すべき画面情報との表示内容を変更することを特徴とする請求項１或いは２記載の情報処理装置。
【請求項５】
前記所定の情報は、データ処理可能な状態に遷移させるための認証情報、ユーザ名、電子ファイルのアイコン、電子ファイル名、またはアプリケーションウィンドウを含むことを特徴とする請求項１乃至３のいずれかに記載の情報処理装置。
【請求項６】
前記第２の制御手段は、前記外部表示装置へ転送すべき画面情報の全体または一部を変更可能とすることを特徴とする請求項１乃至５のいずれかに記載の情報処理装置。
【請求項７】
表示装置を備える情報処理装置であって、
外部表示装置と接続するためのインタフェース手段と、
前記インタフェース手段を介して、前記表示装置に表示される画面情報に対応する画面情報を前記外部表示装置に出力する制御手段とを備え、
前記制御手段は、前記外部表示装置における所定の情報の非表示の設定に従って、前記表示装置に表示される画面情報の少なくとも一部に対応する画面情報を前記外部表示装置に出力しないように制御することを特徴とする情報処理装置。
【請求項８】
外部表示装置と接続するためのインタフェース手段と、表示装置とを備える情報処理装置における表示制御方法であって、
前記インタフェース手段を介して前記外部表示装置が接続されていることを検出する検出ステップと、
前記検出ステップにより前記外部表示装置が接続されていることを検出した場合、前記表示装置に表示される画面情報を前記外部表示装置にも前記インタフェース手段を介して転送可能な状態にする第１の制御ステップと、
前記表示装置に表示される画面情報を前記外部表示装置にも前記インタフェース手段を介して転送可能な状態にした後、前記外部装置における所定の情報の非表示の設定に従って、前記表示装置に表示される画面情報と前記外部表示装置に表示すべき画面情報との表示内容を変更する第２の制御ステップと、
を備えることを特徴とする表示制御方法。
【請求項９】
前記外部表示装置における前記所定の情報の表示及び非表示の切り替えを指示する切替指示ステップを備え、
前記第２の制御ステップは、前記切替指示ステップにより非表示へ切り替えられている間、前記表示装置に表示される画面情報と前記外部表示装置に表示すべき画面情報との表示内容を変更することを特徴とする請求項８記載の表示制御方法。
【請求項１０】
前記第２の制御ステップは、前記所定の情報の入力を催促する画面の表示時に、前記表示装置に表示される画面情報と前記外部表示装置に表示すべき画面情報との表示内容を変更することを特徴とする請求項８或いは９記載の表示制御方法。
【請求項１１】
前記所定の情報は、データ処理可能な状態に遷移させるための認証情報、ユーザ名、電子ファイルのアイコン、電子ファイル名、またはアプリケーションウィンドウを含むことを特徴とする請求項８乃至１０のいずれかに記載の表示制御方法。
【請求項１２】
前記第２の制御ステップは、前記外部表示装置へ転送すべき画面情報の全体または一部を変更可能とすることを特徴とする請求項８乃至１１のいずれかに記載の表示制御方法。
【請求項１３】
請求項８〜１２のいずれかに記載の表示制御方法をコンピュータに実行させるためのプログラムを格納したことを特徴とするコンピュータが読み取り可能な記憶媒体。
【手続補正２】
【補正対象書類名】明細書
【補正対象項目名】発明の名称
【補正方法】変更
【補正の内容】
【発明の名称】情報処理装置および表示制御方法およびコンピュータが読み出し可能なプログラムを格納した記憶媒体
【手続補正３】
【補正対象書類名】明細書
【補正対象項目名】００１２
【補正方法】変更
【補正の内容】
【００１２】
本発明は、前記の課題を解決するためになされたもので、本発明の目的は、所定の情報に対して、外部表示装置と表示装置との表示内容とを一致させたり、異ならしめることができる仕組みを提供することである。
【手続補正４】
【補正対象書類名】明細書
【補正対象項目名】００１３
【補正方法】削除
【補正の内容】
【手続補正５】
【補正対象書類名】明細書
【補正対象項目名】００１５
【補正方法】変更
【補正の内容】
【００１５】
本発明は、表示装置を備える情報処理装置であって、外部表示装置と接続するためのインタフェース手段と、前記インタフェース手段を介して前記外部表示装置が接続されていることを検出する検出手段と、前記検出手段により前記外部表示装置が接続されていることを検出した場合、前記表示装置に表示される画面情報を前記外部表示装置にも前記インタフェース手段を介して転送可能な状態にする第１の制御手段と、前記表示装置に表示される画面情報を前記外部表示装置にも前記インタフェース手段を介して転送可能な状態にした後、前記外部表示装置における所定の情報を非表示の設定に従って、前記表示装置に表示される画面情報と前記外部表示装置に表示すべき画面情報との表示内容を変更する第２の制御手段とを備えることを特徴とする。
【手続補正６】
【補正対象書類名】明細書
【補正対象項目名】００１６
【補正方法】変更
【補正の内容】
【００１６】
また、表示装置を備える情報処理装置であって、外部表示装置と接続するためのインタフェース手段と、前記インタフェース手段を介して前記外部表示装置が接続されていることを検出する検出手段と、前記検出手段により前記外部表示装置が接続されていることを検出した場合、前記表示装置に表示される画面情報を前記外部表示装置にも前記インタフェース手段を介して転送可能な状態にする第１の制御手段と、前記表示装置に表示される画面情報を前記外部表示装置にも前記インタフェース手段を介して転送可能な状態にした後、所定の情報が前記表示装置に表示されようとするのに従って、前記表示装置に表示される画面情報と前記外部表示装置に表示すべき画面情報との表示内容を変更する第２の制御手段とを備えることを特徴とする。
【手続補正７】
【補正対象書類名】明細書
【補正対象項目名】００１８
【補正方法】変更
【補正の内容】
【００１８】
外部表示装置と接続するためのインタフェース手段と、表示装置とを備える情報処理装置における表示制御方法であって、前記インタフェース手段を介して前記外部表示装置が接続されていることを検出する検出ステップと、前記検出ステップにより前記外部表示装置が接続されていることを検出した場合、前記表示装置に表示される画面情報を前記外部表示装置にも前記インタフェース手段を介して転送可能な状態にする第１の制御ステップと、前記表示装置に表示される画面情報を前記外部表示装置にも前記インタフェース手段を介して転送可能な状態にした後、前記外部装置における所定の情報を非表示の設定に従って、前記表示装置に表示される画面情報と前記外部表示装置に表示すべき画面情報との表示内容を変更する第２の制御ステップとを備えることを特徴とする。
【手続補正８】
【補正対象書類名】明細書
【補正対象項目名】００１９
【補正方法】変更
【補正の内容】
【００１９】
本発明によれば、所定の情報に対して、外部表示装置と表示装置との表示内容とを一致させたり、異ならしめることができる。
【手続補正９】
【補正対象書類名】明細書
【補正対象項目名】００２０
【補正方法】削除
【補正の内容】